(57)【要約】【課題】シートの厚みにかかわらず、重送状態の各シートを分離することが可能なシート搬送装置を提供する。【解決手段】重送センサ２５により重送状態が検出されると、分離ローラ１５が逆方向Ｃに回転される。このため、給紙ローラ１３により該給紙ローラ１３に直接接触する上側のシートＰが搬送方向Ａに搬送されるが、分離ローラ１５により該分離ローラ１５に直接接触する下側のシートＰが逆方向に搬送され、上側のシートＰと下側のシートＰが分離する。このとき、シートＰの厚みにかかわらず、分離ローラ１５の圧接圧力が略一定に維持されているので、分離ローラ１５の回転負荷抵抗が大きくならずに済み、上側と下側のシートＰが分離する前に分離ローラ１５のトルクリミッタに過大トルクが作用することはなく、分離ローラ１５が空転状態となることもなく、上側と下側のシートＰが速やかに分離する。【選択図】図１
2009007107.tif 000002
【特許請求の範囲】
【請求項１】
複数のシートを１枚ずつ順次搬送し、搬送されている各シートが相互に重なった重送状態を検出して、重なった各シートを分離するシート搬送装置において、
前記重送状態が検出されたときには、相互に重なった各シートのうちの１枚のシート片面に圧接した状態で、該１枚のシートを搬送方向とは逆方向に引き戻して、該各シートを分離する分離手段と、
前記搬送されているシートの厚みを識別する識別手段と、
前記識別手段により識別されたシートの厚みに応じて、前記１枚のシート片面に対する分離手段の圧接圧力を調節制御する制御手段とを備えることを特徴とするシート搬送装置。
【請求項２】
前記分離手段により相互に重なった各シートが分離された後に、この分離手段が停止されて、シートの搬送が継続されることを特徴とする請求項１に記載のシート搬送装置。
【請求項３】
複数のシートを積載収容する給紙トレイと、この給紙トレイを昇降させる昇降手段とを備え、
前記給紙トレイから各シートを１枚ずつ順次引き出して搬送しており、前記重送状態が検出されたときに、前記分離手段により１枚のシートを搬送方向とは逆方向に引き戻して、この１枚のシートを給紙トレイ側に戻すと共に、前記昇降手段により給紙トレイを下降させることを特徴とする請求項１に記載のシート搬送装置。
【請求項４】
前記分離手段は、１枚のシート片面に圧接される分離ローラであり、この分離ローラをトルクリミッタを介して軸支したことを特徴とする請求項１に記載のシート搬送装置。
【請求項５】
請求項１乃至４のいずれか１つの請求項に記載のシート搬送装置を備えることを特徴とする原稿読取り装置。
【請求項６】
請求項１乃至４のいずれか１つの請求項に記載のシート搬送装置を備えることを特徴とする画像形成装置。
【発明の詳細な説明】
【技術分野】
【０００１】
本発明は、複数のシートを１枚ずつ順次搬送し、搬送されている各シートが相互に重なった重送状態となったときに、各シートを分離するシート搬送装置、原稿読取り装置、及び画像形成装置に関する。
【背景技術】
【０００２】
この種のシート搬送装置は、複写機、ファクシミリ装置、プリンター等に適用されるものである。この装置では、印刷に用いられる複数のシートを給紙トレイに積載収容しておき、給紙トレイの最上層のシートにピックアップローラを圧接し、ピックアップローラを回転させることによりシートを引き出して搬送する。１枚目のシートが搬送されると、ピックアップローラが２枚目のシートに圧接して該シートを引き出し、各シートが１枚ずつ順次引き出されて搬送される。
【０００３】
また、ピックアップローラの搬送方向下流側には、給紙ローラと分離ローラを相互に圧接させて配置している。給紙ローラは、その軸を回転駆動系に接続されて回転駆動される。また、分離ローラの軸にトルクリミッタを設けており、分離ローラを給紙ローラに直接圧接しているとき、又は分離ローラを１枚のシートを介して給紙ローラに圧接しているときには、給紙ローラの回転力が分離ローラにそのまま伝達されて、分離ローラのトルクリミッタに過大トルクが作用し、分離ローラが空転状態となり、分離ローラが給紙ローラに従動回転する。
【０００４】
従って、給紙トレイからシートが１枚ずつ順次引き出されている状態では、シートが給紙ローラと分離ローラ間のニップ域に導かれて挟み込まれ、このシートが給紙ローラにより更に搬送されて行く。
【０００５】
また、給紙トレイから引き出された複数のシートが相互に重なった重送状態が発生することがある。この場合は、給紙ローラにより該給紙ローラに直接接触するシートが搬送されても、給紙ローラと分離ローラ間に介在する各シート間にずれが生じることから、分離ローラのトルクリミッタに過大トルクが作用し難く、分離ローラが従動回転せずに、分離ローラに直接接触する他のシートが停止したままとなり、この他のシートが給紙ローラにより直接搬送されて行くシートから分離される。
【０００６】
しかしながら、このように相互に重なった各シートを分離することができても、分離ローラに直接接触するシートが搬送されずにそのまま残るので、給紙トレイからのシートの搬送供給動作を一旦停止して、搬送されなかったシートを除去する作業が必要となる。
【０００７】
このため、特許文献１では、重送状態が発生したときに、給紙ローラにより１枚のシートを搬送しつつ、分離ローラを逆回転させて、分離ローラにより他のシートを一時的に逆方向に搬送し、各シートの間隔を調整してから、他のシートを再び順方向に搬送している。これにより、重送状態が発生しても、シートの搬送供給動作を継続させることが可能となる。
【特許文献１】特開２００３−１７１０３２号公報
【発明の開示】
【発明が解決しようとする課題】
【０００８】
ところで、シートの厚みは多様であり、厚いシートや薄いシートが使用される。そして、このシートの厚みの変化により、分離ローラの圧接圧力が変化するので、シートの厚みによりシートを分離することができたり、分離することができなかったりした。
【０００９】
また、分離ローラの軸にトルクリミッタを設けた構成においては、シートが厚くなって、分離ローラの圧接圧力が大きくなったときに、分離ローラの回転負荷抵抗が大きくなり、シートが分離する前にトルクリミッタに過大トルクが作用して、分離ローラが空転状態となってしまい、シートの分離がなされなかった。
【００１０】
そこで、本発明は、上記従来の問題に鑑みてなされたものであり、シートの厚みにかかわらず、重送状態の各シートを分離することが可能なシート搬送装置、原稿読取り装置、及び画像形成装置を提供することを目的とする。
【課題を解決するための手段】
【００１１】
上記課題を解決するために、本発明のシート搬送装置は、複数のシートを１枚ずつ順次搬送し、搬送されている各シートが相互に重なった重送状態を検出して、重なった各シートを分離するシート搬送装置において、前記重送状態が検出されたときには、相互に重なった各シートのうちの１枚のシート片面に圧接した状態で、該１枚のシートを搬送方向とは逆方向に引き戻して、該各シートを分離する分離手段と、前記搬送されているシートの厚みを識別する識別手段と、前記識別手段により識別されたシートの厚みに応じて、前記１枚のシート片面に対する分離手段の圧接圧力を調節制御する制御手段とを備えている。
【００１２】
また、前記分離手段により相互に重なった各シートが分離された後に、この分離手段が停止されて、シートの搬送が継続されている。
【００１３】
更に、複数のシートを積載収容する給紙トレイと、この給紙トレイを昇降させる昇降手段とを備え、前記給紙トレイから各シートを１枚ずつ順次引き出して搬送しており、前記重送状態が検出されたときに、前記分離手段により１枚のシートを搬送方向とは逆方向に引き戻して、この１枚のシートを給紙トレイ側に戻すと共に、前記昇降手段により給紙トレイを下降させている。
【００１４】
また、前記分離手段は、１枚のシート片面に圧接される分離ローラであり、この分離ローラをトルクリミッタを介して軸支している。
【００１５】
一方、本発明の原稿読取り装置は、上記本発明のシート搬送装置を備えている。
【００１６】
また、本発明の画像形成装置は、上記本発明のシート搬送装置を備えている。
【発明の効果】
【００１７】
このような本発明によれば、分離手段は、相互に重なった各シートのうちの１枚のシート片面に圧接した状態で、該１枚のシート片面を搬送方向とは逆方向に引き戻して、該各シートを分離している。そして、シートの厚みに応じて、１枚のシート片面に対する分離手段の圧接圧力を調節制御している。例えば、シートが厚くて、分離手段の圧接圧力が増大する場合は、分離手段の圧接圧力を低減させ、またシートが薄くて、分離手段の圧接圧力が低減する場合は、分離手段の圧接圧力を増大させ、これにより分離手段の圧接圧力の変動を抑えて、重送状態の各シートの速やかなる分離を可能にしている。
【００１８】
また、分離手段により相互に重なった各シートが分離された後に、この分離手段が停止されて、シートの搬送が継続されるので、重送状態が発生しても、シートの搬送供給動作が停止することはない。
【００１９】
更に、重送状態が検出されたときに、分離手段により１枚のシート片面を搬送方向とは逆方向に引き戻して、この１枚を給紙トレイ側に戻すと共に、昇降手段により給紙トレイを下降させている。このようにシートを給紙トレイに一旦戻しても良く、このときに給紙トレイを下降させれば、シートを給紙トレイに容易に引き戻すことができる。
【００２０】
また、分離手段が１枚のシート片面に圧接される分離ローラであり、この分離ローラにトルクリミッタが設けられているので、分離ローラが給紙ローラに直接圧接しているとき、又は分離ローラが１枚のシートを介して給紙ローラに圧接しているときには、トルクリミッタに過大トルクが作用して、分離ローラが空転状態となり、分離ローラによりシートの搬送が阻害されることはなく、シートの搬送が速やかに行われる。
【００２１】
一方、本発明の原稿読取り装置及び画像形成装置は、上記本発明のシート搬送装置を備えているので、同様の作用効果を果たす。
【発明を実施するための最良の形態】
【００２２】
以下、本発明の実施形態を添付図面を参照しつつ詳細に説明する。
【００２３】
図１は、本発明のシート搬送装置の一実施形態を部分的に破断して示す側面図である。本実施形態の装置では、複数のシートＰを給紙トレイ１１に積載収容し、ピックアップローラ１２を給紙トレイ１１内のシートＰ上側に配置し、給紙ローラ１３をシート搬送方向Ａにおけるピックアップローラ１２よりも下流側に配置している。給紙ローラ１３の軸１３ａは、定位置に位置決めされて、該給紙ローラ１３の回転駆動機構（図示せず）に接続されている。この軸１３ａによりアーム１４が回動自在に軸支され、アーム１４の先端側にピックアップローラ１２の軸１２ａが軸支されている。
【００２４】
また、給紙ローラ１３とピックアップローラ１２間には回転伝達機構（図示せず）が挿入されており、給紙ローラ１３が時計周りに回転駆動されると、給紙ローラ１３の回転がピックアップローラ１２に伝達されて、ピックアップローラ１２が給紙ローラ１３と同一方向に従動回転する。同時に、給紙ローラ１３の時計周りの回転に伴い、軸１３ａを回転中心とする時計周りのモーメントがアーム１４に発生して、アーム１４が時計回りに回転し、ピックアップローラ１２が給紙トレイ１１内の最上層のシートＰに圧接される。
【００２５】
尚、給紙ローラ１３とピックアップローラ１２間の回転伝達機構は、リンク機構、プーリとベルトの組み合わせ、ギアの組み合わせ等から構成される。
【００２６】
給紙ローラ１３直下には、分離ローラ１５が配置されている。揺動アーム１６は、その略中央の軸１７により回転自在に軸支されており、その先端側１６ａで分離ローラ１５の軸１５ａが回転自在に軸支され、その後端側１６ｂがバネ１８を介してラックギア２１に連結されている。ラックギア２１は、上下移動可能に支持されており、ピニオンギア２２に歯合している。このピニオンギア２２が回転駆動機構（図示せず）により回転駆動されると、ラックギア２１が上下移動して、バネ１８が伸縮し、バネ１８により揺動アーム１６の後端側１６ｂを引っ張る力が変化し、これに伴って揺動アーム１６の先端側１６ａの分離ローラ１５を給紙ローラ１３に圧接する圧力が変化する。従って、ピニオンギア２２を回転駆動することにより、給紙ローラ１３に対する分離ローラ１５の圧接圧力を変更することができる。
【００２７】
この分離ローラ１５の軸１５ａは、トルクリミッタ（図示せず）を介して該分離ローラ１５の回転駆動機構（図示せず）に接続されている。分離ローラ１５が給紙ローラ１３に直接圧接しているとき、又は分離ローラ１５が１枚のシートＰを介して給紙ローラ１３に圧接している状態で、給紙ローラ１５が回転駆動されると、給紙ローラ１３の回転力が分離ローラ１５にそのまま伝達されて、トルクリミッタに過大トルクが作用し、分離ローラ１５が順方向Ｂに空転状態となり、分離ローラ１５によりシートＰの搬送が阻害されることなく、給紙ローラ１３によるシートＰの搬送が速やかに行われる。
【００２８】
また、複数のシートＰが重なって搬送される重送状態が生じると、分離ローラ１５は、その回転駆動機構により逆方向Ｃに回転駆動される。このとき、そのトルクリミッタに過大トルクが作用しない限りは、分離ローラ１５が逆回転し続ける。
【００２９】
更に、シート搬送方向Ａにおける給紙ローラ１３よりも下流側には、一組の搬送ローラ２３が配置されており、シートＰが給紙ローラ１３から搬送ローラ２３へと受け渡されて搬送されて行く。
【００３０】
従って、シートＰは、ピックアップローラ１２により給紙トレイ１１から引き出されて給紙ローラ１３へと搬送され、給紙ローラ１３から搬送ローラ２３へと受け渡されて搬送されて行く。このようなシートＰの搬送経路において、給紙トレイ１１のシート引き出し位置近傍には、シートＰの先端及び後端を検出する給紙センサ２４が設けられ、またシート搬送方向Ａにおける給紙ローラ１３及び分離ローラ１５よりも下流側には、複数のシートＰが重なって搬送される重送状態を検出する重送センサ２５が設けられている。例えば、給紙センサ２４及び重送センサ２５は、光センサ、磁気センサ、超音波センサ等からなる。
【００３１】
また、給紙トレイ１１は、リフトアップ機構２６により上下移動可能に支持されており、このリフトアップ機構２６により昇降駆動される。
【００３２】
図２は、本実施形態のシート搬送装置の駆動制御系を示すブロック図である。図２において、制御部３１は、このシート搬送装置の統括的な制御を司るものであり、シートの厚み等を示す入力設定情報をユーザインターフェース３２を通じて入力したり、給紙センサ２４及び重送センサ２５の検出出力を入力する。
【００３３】
また、制御部３１は、給紙モータ駆動回路３３を通じて、給紙ローラ１３の回転駆動機構の動力源である給紙モータ３４を駆動制御し、給紙ローラ１３を回転駆動する。
【００３４】
更に、制御部３１は、分離モータ駆動回路３５を通じて、分離モータ１５の回転駆動機構の動力減である分離モータ３６を駆動制御し、分離ローラ１５を逆方向Ｃに回転駆動する。
【００３５】
また、制御部３１は、分離ローラ圧接駆動回路３７を通じて、ピニオンギア２２の回転駆動機構の動力源である圧接モータ３８を駆動制御し、ピニオンギア２２を回転駆動して、給紙ローラ１３に対する分離ローラ１５の圧接圧力を調節する。
【００３６】
更に、制御部３１は、リフトアップ駆動回路４１を通じて、リフトアップ機構２６の回転駆動機構の動力源であるリフトアップモータ４２を駆動制御し、リフトアップ機構２６により給紙トレイ１１を昇降させる。
【００３７】
さて、このような構成のシート搬送装置において、シートＰの搬送開始に先立ち、制御部３１は、リフトアップ駆動回路４１を通じて、リフトアップモータ４２を駆動制御し、リフトアップ機構２６により給紙トレイ１１を昇降させて、給紙トレイ１１内の最上層のシートＰの位置を規定の高さに設定する。以降、複数のシートＰが重なって搬送される重送状態が発生しない限りは、リフトアップ機構２６により給紙トレイ１１内の最上層のシートＰの位置が規定の高さに維持される。これにより、最上層のシートＰに対するピックアップローラ１２の圧接が常に確実になされる。
【００３８】
また、シートの厚み等を示す入力設定情報が、ユーザインターフェース３２を通じて制御部３１に入力される。制御部３１は、シートの厚み等を示す入力設定情報を入力すると、分離ローラ圧接駆動回路３７を通じて、圧接モータ３８を駆動制御して、ピニオンギア２２を回転駆動し、シートＰの厚みに応じて分離ローラ１５の圧接圧力を調節する。
【００３９】
ここで、シートＰの厚みが変化すると、分離ローラ１５が変位して、揺動アーム１６の後端側１６ｂのバネ１８が伸縮し、給紙ローラ１３に対する分離ローラ１５の圧接圧力が変化する。例えば、シートＰが厚ければ、分離ローラ１５の圧接圧力が増大し、またシートＰが薄ければ、分離ローラ１５の圧接圧力が減少する。そこで、シートＰが厚い場合は、バネ１８が縮小して、分離ローラ１５の圧接圧力が減少するように圧接モータ３８を駆動制御し、またシートＰが薄い場合は、バネ１８が伸長して、分離ローラ１５の圧接圧力が増大するように圧接モータ３８を駆動制御し、これにより分離ローラ１５の圧接圧力を略一定に維持して、その変動を抑えている。すなわち、シートＰの厚みにかかわらず、分離ローラ１５の圧接圧力を略一定に維持している。
【００４０】
こうして給紙トレイ１１内の最上層のシートＰの位置が規定の高さに調節され、また分離ローラ１５の圧接圧力が調節されると、シートの搬送開始指示がユーザインターフェース３２を通じて制御部３１に入力される。制御部３１は、シートの搬送開始指示を入力すると、給紙モータ駆動回路３３を通じて給紙モータ３４を駆動制御し、給紙ローラ１３を時計回りに回転させる。これに伴い、ピックアップローラ１２が時計回りに従動回転し、アーム１４が給紙ローラ１３の軸１３ａを回転中心とする時計回りに回転して、ピックアップローラ１２が給紙トレイ１１内の最上層のシートＰに圧接される。そして、ピックアップローラ１２が時計回りに回転し続けて、ピックアップローラ１２により最上層のシートＰが引き出され、シートＰが給紙ローラ１３と分離ローラ１５間のニップ域に導かれて、給紙ローラ１３によりシートＰが搬送ローラ２３へと受け渡されて搬送されて行く。
【００４１】
このとき、重送センサ２５により重送状態が検出されなければ、制御部３１は、重送センサ２５の検出出力に基づいて重送状態が発生していないと判定し、重送状態を解消するための制御を行うことがない。また、制御部３１は、給紙センサ２４の検出出力に基づいて、給紙センサ２４によるシートＰの後端の検出時点を判定し、この検出時点よりも僅かに遅れたタイミングでピックアップローラ１２及び給紙ローラ１３を一旦停止させ、一定時間が経過してから、ピックアップローラ１２及び給紙ローラ１３を回転させる。これにより、１枚目のシートＰが給紙ローラ１３の部位を通過した後に、ピックアップローラ１２及び給紙ローラ１３による搬送と引き出しが一旦停止されて、ピックアップローラ１２が給紙トレイ１１内の２枚目のシートＰに圧接された状態となり、１枚目のシートＰの後端が２枚目のシートＰの先端から一定距離離間してから、ピックアップローラ１２及び給紙ローラ１３による２枚目のシートＰの引き出しと搬送が開始される。
【００４２】
以降同様に、重送センサ２５により重送状態が検出されない限り、給紙センサ２４によるシートＰの後端の検出時点に基づいて、ピックアップローラ１２及び給紙ローラ１３の停止及び回転が繰り返されて、給紙トレイ１１から各シートＰが１枚ずつ一定間隔で順次引き出されて搬送されて行く。
【００４３】
こうして各シートＰが１枚ずつ引き出されて搬送されて行くときには、分離ローラ１５が給紙ローラ１３に直接圧接しているか、又は分離ローラ１５が１枚のシートＰを介して給紙ローラ１３に圧接している状態であり、給紙ローラ１３の回転力が分離ローラ１５にそのまま伝達されて、分離ローラ１５のトルクリミッタに過大トルクが作用し、分離ローラ１５が順方向Ｂに空転状態となり、分離ローラ１５によりシートＰの搬送が阻害されることなく、給紙ローラ１３によるシートＰの搬送が速やかに行われる。
【００４４】
次に、シートＰの搬送に際し、図３（ａ）に示すように２枚のシートＰが重なって搬送される重送状態になったものとする。この場合、重送センサ２５により重送状態が検出される。制御部３１は、重送センサ２５の検出出力に基づいて重送状態が発生していると判定し、分離モータ駆動回路３５を通じて、分離モータ３６を駆動制御し、分離ローラ１５を逆方向Ｃに回転させる。このため、図３（ｂ）に示すように給紙ローラ１３により該給紙ローラ１３に直接接触する上側のシートＰが搬送方向Ａに搬送されるが、分離ローラ１５により該分離ローラ１５に直接接触する下側のシートＰが逆方向に搬送され、上側のシートＰと下側のシートＰが分離する。
【００４５】
このとき、先に述べたようにシートＰの厚みにかかわらず、分離ローラ１５の圧接圧力が略一定に維持されているので、分離ローラ１５の回転負荷抵抗が大きくならずに済み、上側と下側のシートＰが分離する前に分離ローラ１５のトルクリミッタに過大トルクが作用することはなく、分離ローラ１５が空転状態となることもなく、上側と下側のシートＰが速やかに分離する。また、分離ローラ１５の圧接圧力が略一定に維持されているので、分離ローラ１５が下側のシートＰ表面を滑ってしまうこともなく、分離ローラ１５により下側のシートＰが逆方向に確実に搬送されて、上側と下側のシートＰが確実に分離する。
【００４６】
また、制御部３１は、リフトアップ駆動回路４１を通じて、リフトアップモータ４２を駆動制御し、リフトアップ機構２６により給紙トレイ１１を一定高さ分だけ下降させる。このため、図３（ｃ）に示すように分離ローラ１５により逆方向に搬送された下側のシートＰが給紙トレイ１１に速やかに戻される。
【００４７】
そして、上記下側であったシートＰの殆どの部分が給紙トレイ１１に戻ると、下側であったシートＰの先端が給紙センサ２４により検出される。制御部３１は、給紙センサ２４の検出出力に基づいてシートＰの先端の検出を判定し、この判定をなすと、分離モータ３６を停止させ、下側であったシートＰの逆方向への搬送を停止させる。
【００４８】
このとき、給紙トレイ１１からの上記上側のシートＰの引き出しが終了していることから、ピックアップローラ１２が給紙トレイ１１内の上記下側であったシートＰに圧接された状態となり、ピックアップローラ１２及び給紙ローラ１３による該シートＰの引き出しと搬送が行われ、該シートＰが給紙ローラ１３から搬送ローラ２３へと受け渡されて搬送されて行く。
【００４９】
この後、制御部３１は、リフトアップ駆動回路４１を通じて、リフトアップモータ４２を駆動制御し、リフトアップ機構２６により給紙トレイ１１を元の高さまで上昇させ、ピックアップローラ１２及び給紙ローラ１３による次のシートＰの引き出しと搬送を開始し、以降同様に、各シートＰを１枚ずつ一定間隔で順次引き出して搬送する。
【００５０】
このように本実施形態では、シートＰの厚みに応じて、給紙ローラ１３に対する分離ローラ１５の圧接圧力を調節し、シートＰの厚みにかかわらず、分離ローラ１５の圧接圧力を略一定に維持しているので、シートＰが厚くても薄くても、トルクリミッタの作動により分離ローラ１５が空転状態となることはなく、また分離ローラ１５がシートＰ表面を滑ってしまうこともなく、分離ローラ１５により上側と下側のシートＰを確実に分離することができる。
【００５１】
尚、本発明は、上気実施形態に限定されるものではなく、多様に変形することができる。例えば、シートＰの厚みにかかわらず、分離ローラ１５の圧接圧力を略一定に維持するのではなく、シートＰが厚いときに分離ローラ１５の圧接圧力を減少させ、シートＰが薄いときに分離ローラ１５の圧接圧力を増大させても構わない。すなわち、シートＰの厚みによりシートの分離性が変化するならば、この変化の程度に応じて分離ローラ１５の圧接圧力を変化させても良い。
【００５２】
また、本発明は、シート搬送装置に限定されるものではなく、このシート搬送装置を備える原稿読取り装置や画像形成装置を包含する。画像形成装置には、複写装置、ファクシミリ装置、プリンター等があり、これらの装置における記録用紙の搬送装置として本発明のシート搬送装置を適用したり、これらの装置における原稿読取り装置で原稿を搬送するために本発明のシート搬送装置を適用することができる。
【図面の簡単な説明】
【００５３】
【図１】本発明のシート搬送装置の一実施形態を部分的に破断して示す側面図である。
【図２】図１のシート搬送装置の駆動制御系を示すブロック図である。
【図３】（ａ）乃至（ｃ）は、図１のシート搬送装置の動作を説明するために用いた図である。
【符号の説明】
【００５４】
１１  給紙トレイ
１２  ピックアップローラ
１３  給紙ローラ
１４  アーム
１５  分離ローラ
１６  揺動アーム
１７  軸
１８  バネ
２１  ラックギア
２２  ピニオンギア
２３  搬送ローラ
２４  給紙センサ
２５  重送センサ
２６  リフトアップ機構
【図１】
2009007107.tif 000003
【図２】
2009007107.tif 000004
【図３】
2009007107.tif 000005